(57)【要約】【課題】例えば有機ＥＬディスプレイ等の電気光学装置を駆動するための駆動装置において、その開発期間及びコストを低減する。【課題を解決するための手段】電気光学装置の駆動装置は、データ線に接続された出力端子、並びに高電位ＶＨの高電位源に接続された入力端子、低電位ＶＬの低電位源に接続された入力端子及び低電位ＶＬ以上且つ高電位ＶＨ以下の値である中間電位ＶＣの中間電位源に接続された入力端子を備える。更に、高電位ＶＨ及び中間電位ＶＣ間の電位を有する第１データ信号並びに低電位ＶＬ及び中間電位ＶＣ間の電位を有する第２データ信号のうち一方を選択的に出力端子に出力する駆動出力手段と、駆動出力手段の入力側で中間電位ＶＣと低電位ＶＬとを同電位となるように制御する電位制御手段とを備える。【選択図】      図２
2004354764.tif 000002
【特許請求の範囲】
【請求項１】
電気光学素子と該電気光学素子の電気光学動作を制御する画素制御回路とを夫々有する複数の画素部が、相交差する複数の走査線と複数のデータ線との各交点に対応してマトリクス状に配置されてなる電気光学装置を駆動するための電気光学装置の駆動装置であって、
少なくとも前記データ線に接続された出力端子、並びに高電位ＶＨの高電位源に接続された入力端子、低電位ＶＬの低電位源に接続された入力端子及び前記低電位ＶＬ以上且つ前記高電位ＶＨ以下の値である中間電位ＶＣの中間電位源に接続された入力端子を有しており、前記高電位ＶＨ及び前記中間電位ＶＣ間の電位を有する第１データ信号並びに前記低電位ＶＬ及び前記中間電位ＶＣ間の電位を有する第２データ信号のうち一方を選択的に前記出力端子に出力する駆動出力手段と、
前記駆動出力手段の入力側で前記中間電位ＶＣと前記低電位ＶＬとを同電位となるように制御する電位制御手段と
を備えたことを特徴とする電気光学装置の駆動装置。
【請求項２】
電気光学素子と該電気光学素子の電気光学動作を制御する画素制御回路とを夫々有する複数の画素部が、相交差する複数の走査線と複数のデータ線との各交点に対応してマトリクス状に配置されてなる電気光学装置を駆動するための電気光学装置の駆動装置であって、
少なくとも前記データ線に接続された出力端子、並びに高電位ＶＨの高電位源に接続された入力端子、低電位ＶＬの低電位源に接続された入力端子及び前記低電位ＶＬ以上且つ前記高電位ＶＨ以下の値である中間電位ＶＣの中間電位源に接続された入力端子を有しており、前記高電位ＶＨ及び前記中間電位ＶＣ間の電位を有する第１データ信号並びに前記低電位ＶＬ及び前記中間電位ＶＣ間の電位を有する第２データ信号のうち一方を選択的に前記出力端子に出力する駆動出力手段と、
前記駆動出力手段の入力側で前記中間電位ＶＣと前記高電位ＶＨとを同電位になるように制御する電位制御手段と
を備えたことを特徴とする電気光学装置の駆動装置。
【請求項３】
前記電気光学素子は、有機ＥＬ素子を含み、
前記画素制御回路は、前記有機ＥＬ素子の発光を制御し、
当該電気光学装置は、有機ＥＬディスプレイからなることを特徴とする請求項１又は２に記載の電気光学装置の駆動装置。
【請求項４】
前記駆動出力手段は、前記電気光学素子として液晶素子を駆動するための前記第１及び第２データ信号を出力する、液晶ディスプレイ駆動用に使用可能な駆動回路からなることを特徴とする請求項１から３のいずれか一項に記載の電気光学装置の駆動装置。
【請求項５】
前記駆動出力手段は、前記複数のデータ線の各々に対して、前記第１及び第２データ信号を所定周期で交互に出力することを特徴とする請求項４に記載の電気光学装置の駆動装置。
【請求項６】
前記駆動出力手段は、前記複数のデータ線の配列において相隣接するデータ線間で、各時刻における前記第１及び第２データ信号が相異なるように、前記第１及び第２データ信号を出力することを特徴とする請求項５に記載の電気光学装置の駆動装置。
【請求項７】
電気光学素子と該電気光学素子の電気光学動作を制御する画素制御回路とを夫々有する複数の画素部が、相交差する複数の走査線と複数のデータ線との各交点に対応してマトリクス状に配置されてなる電気光学装置を駆動するための駆動装置であって、少なくとも前記データ線に接続された出力端子、並びに高電位ＶＨの高電位源に接続された入力端子、低電位ＶＬの低電位源に接続された入力端子及び前記低電位ＶＬ以上且つ前記高電位ＶＨ以下の値である中間電位ＶＣの中間電位源に接続された入力端子を有する駆動出力手段を備えてなる駆動装置における駆動方法であって、
前記駆動出力手段により、前記高電位ＶＨ及び前記中間電位ＶＣ間の電位を有する第１データ信号並びに前記低電位ＶＬ及び前記中間電位ＶＣ間の電位を有する第２データ信号のうち一方を選択的に前記出力端子に出力する出力工程と、
該出力工程の前工程又は同時工程として、前記駆動出力手段の入力側で前記中間電位ＶＣと前記低電位ＶＬとを同電位となるように制御する電位制御工程と
を備えたことを特徴とする電気光学装置の駆動方法。
【請求項８】
電気光学素子と該電気光学素子の電気光学動作を制御する画素制御回路とを夫々有する複数の画素部が、相交差する複数の走査線と複数のデータ線との各交点に対応してマトリクス状に配置されてなる電気光学装置を駆動するための駆動装置であって、少なくとも前記データ線に接続された出力端子、並びに高電位ＶＨの高電位源に接続された入力端子、低電位ＶＬの低電位源に接続された入力端子及び前記低電位ＶＬ以上且つ前記高電位ＶＨ以下の値である中間電位ＶＣの中間電位源に接続された入力端子を有する駆動出力手段を備えてなる駆動装置における駆動方法であって、
前記駆動出力手段により、前記高電位ＶＨ及び前記中間電位ＶＣ間の電位を有する第１データ信号並びに前記低電位ＶＬ及び前記中間電位ＶＣ間の電位を有する第２データ信号のうち一方を選択的に前記出力端子に出力する出力工程と、
該出力工程の前工程又は同時工程として、前記駆動出力手段の入力側で前記中間電位ＶＣと前記高電位ＶＨとを同電位となるように制御する電位制御工程と
を備えたことを特徴とする電気光学装置の駆動方法。
【請求項９】
前記駆動出力手段は、前記電気光学素子として液晶素子を駆動するための前記第１及び第２データ信号を出力する、液晶ディスプレイ駆動用に使用可能な駆動回路からなり、
前記出力工程では、前記複数のデータ線の各々に対して、前記第１及び第２データ信号を所定周期で交互に出力することを特徴とする請求項７又は８に記載電気光学装置の駆動方法。
【請求項１０】
前記出力工程では、前記複数のデータ線の配列において相隣接するデータ線間で、各時刻における前記第１及び第２データ信号が相異なるように、前記第１及び第２データ信号を出力することを特徴とする請求項９に記載の電気光学装置の駆動方法。
【請求項１１】
請求項１から６のいずれか一項に記載の駆動装置及び前記電気光学装置を具備してなることを特徴とする電子機器。
【発明の詳細な説明】
【０００１】
【発明の属する技術分野】
本発明は、例えば有機ＥＬディスプレイ等の電気光学装置を駆動するための駆動装置及び方法、並びにこのような駆動装置及び電気光学装置を備えてなる、例えば駆動装置内蔵型の有機ＥＬディスプレイ装置等の電子機器の技術分野に属する。
【０００２】
【背景技術】
この種の有機ＥＬディスプレイを駆動する駆動装置は例えば、表示すべき数字、文字等のキャラクターデータや図形等のイメージデータを、マトリクス状の特定の位置に対応するデータに展開する。そして、展開されたデータに対応するように、データ信号、走査信号、電源信号等の各種信号を、データ線、走査線、電源信号線等を介して、画像表示領域にマトリクス状に配列された複数の画素部に夫々供給する。これらにより、有機ディスプレイ上にキャラクターデータ、イメージデータ等を表示させるように構成されている
他方、このような有機ＥＬディスプレイ駆動用の駆動装置における各種信号の生成出力に係る機能に類似した機能を有する駆動装置として、液晶ディスプレイ駆動用の駆動装置が、従来より開発され、量産され、幅広く使用されている。従って、既に普及しており研究開発が成熟段階に至っている液晶ディスプレイ駆動用などの駆動装置を、未だ発展途上にある有機ＥＬディスプレイ駆動用などの駆動装置に利用することができれば、後者の開発に係る時間及び費用を節約することが可能となる。
【０００３】
このため従来から、例えは有機ＥＬディスプレイ駆動用の駆動装置として、これに類似するものの供給すべき信号の種類が同一ではない液晶ディスプレイ駆動用の駆動装置を利用する技術が考えられている。例えば、液晶ディスプレイ駆動用の駆動装置から出力されるデータ信号（或いは、画像信号）に対して、１つ又は２つ以上の異なった検出レベルを有し、液晶ディスプレイ駆動用の駆動装置から出力されるデータ信号を入力として、該１つ又は２つ以上の異なった検出レベルに応じた有機ＥＬディスプレイのデータ信号を発生出力するように構成された信号変換手段を、新たに設ける技術が知られている（特許文献１参照）。
【０００４】
【特許文献１】
特開平１１−７３１６０号公報
【０００５】
【発明が解決しようとする課題】
しかしながら、このような液晶ディスプレイ駆動用の駆動装置を、有機ＥＬディスプレイ駆動用の駆動装置に利用する技術によれば、例えば、信号変換手段等の複雑高度な新たな手段を別途設ける必要がある。これでは、駆動装置に係る装置構成や制御方法を簡単にするという一般的要請、そしてこれらにより駆動装置における開発期間や開発コストの低減を図るという一般的な要請に沿うことは困難である。即ち、複雑高度な専用手段を追加的に構築するのでは、開発時間や開発コストの低減という液晶ディスプレイ駆動用の駆動装置を利用する意義が殆どなくなってしまうのである。
【０００６】
加えて、液晶ディスプレイ駆動用の駆動装置から出力されるデータが信号変換手段によって有機ＥＬディスプレイに応じたデータに変換され、そのデータに従って常に有機ＥＬ素子の発光状態が制御されるので、有機ＥＬ素子の回復を図るための非発光期間を容易に設けることができない。この結果、有機ＥＬ素子の長寿命化に関して支障がある。
【０００７】
このように、例えば上述の如き液晶ディスプレイ駆動用の駆動装置を、有機ＥＬディスプレイ駆動用の駆動装置に何らかの形で利用しようとしても、有機ＥＬ層の発光状態と非発光状態とを適切に実現させることは基本的に困難であるという技術的問題点がある。
【０００８】
そこで本発明は上述の諸事情を鑑みてなされたものであり、例えば有機ＥＬディスプレイ等の相対的に見て技術的に新しい方式の電気光学装置を駆動するための駆動装置において、その開発期間及びコストを低減することを課題とする。
【０００９】
【課題を解決するための手段】
本発明の第１の電気光学装置の駆動装置は上記課題を解決するために、電気光学素子と該電気光学素子の電気光学動作を制御する画素制御回路とを夫々有する複数の画素部が、相交差する複数の走査線と複数のデータ線との各交点に対応してマトリクス状に配置されてなる電気光学装置を駆動するための電気光学装置の駆動装置であって、少なくとも前記データ線に接続された出力端子、並びに高電位ＶＨの高電位源に接続された入力端子、低電位ＶＬの低電位源に接続された入力端子及び前記低電位ＶＬ以上且つ前記高電位ＶＨ以下の値である中間電位ＶＣの中間電位源に接続された入力端子を有しており、前記高電位ＶＨ及び前記中間電位ＶＣ間の電位を有する第１データ信号並びに前記低電位ＶＬ及び前記中間電位ＶＣ間の電位を有する第２データ信号のうち一方を選択的に前記出力端子に出力する駆動出力手段と、前記駆動出力手段の入力側で前記中間電位ＶＣと前記低電位ＶＬとを同電位となるように制御する電位制御手段とを備える。
【００１０】
本発明の第１の電気光学装置の駆動装置によれば、電位制御手段は、駆動出力手段の入力側で、中間電位ＶＣと低電位ＶＬとを同電位となるように制御する。このように制御された中間電位ＶＣ及び低電位ＶＬ、並びに高電位ＶＨが、駆動出力手段に各入力端子を介して入力される。そして、駆動出力手段は、高電位ＶＨ及び中間電位ＶＣ間の電位を有する第１データ信号か、低電位ＶＬ及び中間電位ＶＣ間の電位を有する第２データ信号かを、選択的に出力端子を介してデータ線に出力する。すると、データ線と走査線との各交点に対応してマトリクス状に配置された複数の画素部において夫々、駆動出力手段による第１データ信号及び第２データ信号の選択的な供給に応じて、例えば有機ＥＬ素子である電気光学素子の電気光学動作が、画素制御回路によって制御される。この際、高電位ＶＨ及び中間電位ＶＣ間の電位を有する第１データ信号が、電位変動を伴うデータ信号となり、低電位ＶＬ及び中間電位ＶＣ間の電位を有する第２データ信号は、電位制御手段による制御により固定電位のデータ信号となる。例えばデータ信号として低電位ＶＬが出力されたときに、例えば有機ＥＬ素子が非発光とされる。
【００１１】
従って、高電位ＶＨ、中間電位ＶＣ及び低電位ＶＬ用に３つの入力端子を有する、例えば液晶ディスプレイ駆動用の駆動回路を、駆動出力手段として利用しつつ、該駆動出力手段の入力側で中間電位ＶＣと低電位ＶＬとを同電位となるように制御するという比較的簡単な制御を行う電位制御手段を追加的に設ければ、当該第１の電気光学装置の駆動装置を、比較的容易に構築できる。即ち、例えば有機ＥＬディスプレイといった相対的に新しい方式の電気光学装置を駆動するために、例えば液晶ディスプレイといった相対的に成熟した方式の電気光学装置の駆動装置を効率的に利用することが可能となり、全体として当該第１の電気光学装置の駆動装置における開発期間や開発コストの低減を図ることが可能となる。
【００１２】
本発明の第２の電気光学装置の駆動装置は上記課題を解決するために、電気光学素子と該電気光学素子の電気光学動作を制御する画素制御回路とを夫々有する複数の画素部が、相交差する複数の走査線と複数のデータ線との各交点に対応してマトリクス状に配置されてなる電気光学装置を駆動するための電気光学装置の駆動装置であって、少なくとも前記データ線に接続された出力端子、並びに高電位ＶＨの高電位源に接続された入力端子、低電位ＶＬの低電位源に接続された入力端子及び前記低電位ＶＬ以上且つ前記高電位ＶＨ以下の値である中間電位ＶＣの中間電位源に接続された入力端子を有しており、前記高電位ＶＨ及び前記中間電位ＶＣ間の電位を有する第１データ信号並びに前記低電位ＶＬ及び前記中間電位ＶＣ間の電位を有する第２データ信号のうち一方を選択的に前記出力端子に出力する駆動出力手段と、前記駆動出力手段の入力側で前記中間電位ＶＣと前記高電位ＶＨとを同電位になるように制御する電位制御手段とを備える。
【００１３】
本発明の第２の電気光学装置の駆動装置によれば、電位制御手段は、駆動出力手段の入力側で、中間電位ＶＣと高電位ＶＨとを同電位となるように制御する。このように制御された中間電位ＶＣ及び高電位ＶＨ、並びに低電位ＶＬが、駆動出力手段に各入力端子を介して入力される。そして、駆動出力手段は、高電位ＶＨ及び中間電位ＶＣ間の電位を有する第１データ信号か、低電位ＶＬ及び中間電位ＶＣ間の電位を有する第２データ信号かを、選択的に出力端子を介してデータ線に出力する。すると、データ線と走査線との各交点に対応してマトリクス状に配置された複数の画素部において夫々、駆動出力手段による第１データ信号及び第２データ信号の選択的な供給に応じて、例えば有機ＥＬ素子である電気光学素子の電気光学動作が、画素制御回路によって制御される。この際、高電位ＶＨ及び中間電位ＶＣ間の電位を有する第１データ信号が、電位制御手段による制御により固定電位のデータ信号となり、低電位ＶＬ及び中間電位ＶＣ間の電位を有する第２データ信号は、電位変動を伴うデータ信号となる。例えばデータ信号として高電位ＶＨが出力されたときに、例えば有機ＥＬ素子が非発光とされる。
【００１４】
従って、高電位ＶＨ、中間電位ＶＣ及び低電位ＶＬ用に３つの入力端子を有する、例えば液晶ディスプレイ駆動用の駆動回路を、駆動出力手段として利用しつつ、該駆動出力手段の入力側で中間電位ＶＣと高電位ＶＨとを同電位となるように制御するという比較的簡単な制御を行う電位制御手段を追加的に設ければ、当該第２の電気光学装置の駆動装置を、比較的容易に構築できる。即ち、例えば有機ＥＬディスプレイといった相対的に新しい方式の電気光学装置を駆動するために、例えば液晶ディスプレイといった相対的に成熟した方式の電気光学装置の駆動装置を効率的に利用することが可能となり、全体として当該第２の電気光学装置の駆動装置における開発期間や開発コストの低減を図ることが可能となる。
【００１５】
本発明の第１又は第２の電気光学装置の駆動装置の一態様では、前記電気光学素子は、有機ＥＬ素子を含み、前記画素制御回路は、前記有機ＥＬ素子の発光を制御し、当該電気光学装置は、有機ＥＬディスプレイからなる。
【００１６】
この態様によれば、複数の画素部において夫々、駆動出力手段による第１データ信号及び第２データ信号の選択的な供給に応じて、有機ＥＬ素子の発光状態と非発光状態とが、画素制御回路によって制御される。そして、相対的に新しい方式である有機ＥＬディスプレイを駆動するために、例えば液晶ディスプレイといった相対的に成熟した方式の電気光学装置の駆動装置を効率的に利用することが可能となる。
【００１７】
加えて、この態様によれば特に、固定電位の第１又は第２データ信号を選択的に供給するので、容易に有機ＥＬ素子の非発光期間を設けることができる。この結果、有機ＥＬ素子を長寿命化させることもできる。更に、非発光期間をデータ線ごと交互に設けることで、フリッカーを低減することも可能となる。
【００１８】
尚、この態様では、前記画素制御回路は、前記有機ＥＬ素子を駆動するドライビングトランジスタ及び該ドライビングトランジスタを制御するスイッチングトランジスタを備えており、前記駆動出力手段は、前記第１及び第２データ信号として前記ドライビングトランジスタの導通又は非導通を選択する信号を、前記データ線に対して選択的に供給するように構成してもよい。このように構成すれば、駆動出力手段による第１データ信号及び第２データ信号の選択的な供給によって、スイッチングトランジスタを介してドライビングトランジスタの導通又は非導通を制御できる。これにより、有機ＥＬ素子の発光状態と非発光状態とを制御できる。
【００１９】
本発明の第１又は第２の電気光学装置の駆動装置の他の態様では、前記駆動出力手段は、前記電気光学素子として液晶素子を駆動するための前記第１及び第２データ信号を出力する、液晶ディスプレイ駆動用に使用可能な駆動回路からなる。
【００２０】
この態様によれば、例えば有機ＥＬディスプレイといった相対的に新しい方式の電気光学装置を駆動するために、相対的に成熟した方式である液晶ディスプレイ駆動用の駆動装置を効率的に利用することが可能となる。
【００２１】
この態様では、前記駆動出力手段は、前記複数のデータ線の各々に対して、前記第１及び第２データ信号を所定周期で交互に出力してもよい。
【００２２】
このように構成すれば、フィールド毎やフレーム毎に液晶駆動用の電位極性を反転させる“フィールド反転駆動方式”や“フレーム反転駆動方式”、データ線毎に液晶駆動用の電位極性を反転させる“データ線反転駆動方式”、走査線毎に液晶駆動用の電位極性を反転させる“走査線反転駆動方式”、ドット毎或いは画素毎に液晶駆動用の電位極性を反転させる“ドット反転駆動方式”等の各種反転駆動方式に対応する液晶ディスプレイ駆動用の駆動装置を、例えば有機ＥＬディスプレイといった相対的に新しい方式の電気光学装置を駆動するために効率的に利用することが可能となる。
【００２３】
この場合更に、前記駆動出力手段は、前記複数のデータ線の配列において相隣接するデータ線間で、各時刻における前記第１及び第２データ信号が相異なるように、前記第１及び第２データ信号を出力してもよい。
【００２４】
このように構成すれば、特にデータ線毎に或いはデータ線群毎に、液晶駆動用の電位極性を反転させる“データ線反転駆動方式”に対応する液晶ディスプレイ駆動用の駆動装置を、例えば有機ＥＬディスプレイといった相対的に新しい方式の電気光学装置を駆動するために効率的に利用することが可能となる。
【００２５】
尚、相隣接するデータ線間で、各時刻における前記第１及び第２データ信号が相異なるように、前記第１及び第２データ信号を出力するように構成することも可能である。或いは、隣り合った複数のデータ線を、例えば隣り合った三本のデータ線を“データ線群”とした場合における、相隣接するデータ線群間で、各時刻における前記第１及び第２データ信号が相異なるように、前記第１及び第２データ信号を出力するように構成することも可能である。
【００２６】
本発明の第１の電気光学装置の駆動方法は上記課題を解決するために、電気光学素子と該電気光学素子の電気光学動作を制御する画素制御回路とを夫々有する複数の画素部が、相交差する複数の走査線と複数のデータ線との各交点に対応してマトリクス状に配置されてなる電気光学装置を駆動するための駆動装置であって、少なくとも前記データ線に接続された出力端子、並びに高電位ＶＨの高電位源に接続された入力端子、低電位ＶＬの低電位源に接続された入力端子及び前記低電位ＶＬ以上且つ前記高電位ＶＨ以下の値である中間電位ＶＣの中間電位源に接続された入力端子を有する駆動出力手段を備えてなる駆動装置における駆動方法であって、前記駆動出力手段により、前記高電位ＶＨ及び前記中間電位ＶＣ間の電位を有する第１データ信号並びに前記低電位ＶＬ及び前記中間電位ＶＣ間の電位を有する第２データ信号のうち一方を選択的に前記出力端子に出力する出力工程と、該出力工程の前工程又は同時工程として、前記駆動出力手段の入力側で前記中間電位ＶＣと前記低電位ＶＬとを同電位となるように制御する電位制御工程とを備える。
【００２７】
本発明の第１の電気光学装置の駆動方法によれば、上述した第１の電気光学装置の駆動装置の場合と同様に、例えば液晶ディスプレイ駆動用の駆動回路を、駆動出力手段として利用しつつ、該駆動出力手段の入力側で中間電位ＶＣと低電位ＶＬとを同電位となるように制御するという比較的簡単な制御を追加的に実施すればよいので、当該駆動装置を比較的容易に構築できる。
【００２８】
本発明の第２の電気光学装置の駆動方法は上記課題を解決するために、電気光学素子と該電気光学素子の電気光学動作を制御する画素制御回路とを夫々有する複数の画素部が、相交差する複数の走査線と複数のデータ線との各交点に対応してマトリクス状に配置されてなる電気光学装置を駆動するための駆動装置であって、少なくとも前記データ線に接続された出力端子、並びに高電位ＶＨの高電位源に接続された入力端子、低電位ＶＬの低電位源に接続された入力端子及び前記低電位ＶＬ以上且つ前記高電位ＶＨ以下の値である中間電位ＶＣの中間電位源に接続された入力端子を有する駆動出力手段を備えてなる駆動装置における駆動方法であって、前記駆動出力手段により、前記高電位ＶＨ及び前記中間電位ＶＣ間の電位を有する第１データ信号並びに前記低電位ＶＬ及び前記中間電位ＶＣ間の電位を有する第２データ信号のうち一方を選択的に前記出力端子に出力する出力工程と、該出力工程の前工程又は同時工程として、前記駆動出力手段の入力側で前記中間電位ＶＣと前記高電位ＶＨとを同電位となるように制御する電位制御工程とを備える。
【００２９】
本発明の第２の電気光学装置の駆動方法によれば、上述した第２の電気光学装置の駆動装置の場合と同様に、例えば液晶ディスプレイ駆動用の駆動回路を、駆動出力手段として利用しつつ、該駆動出力手段の入力側で中間電位ＶＣと高電位ＶＨとを同電位となるように制御するという比較的簡単な制御を追加的に実施すればよいので、当該駆動装置を比較的容易に構築できる。
【００３０】
本発明の第１又は第２の電気光学装置の駆動方法の一態様では、前記駆動出力手段は、前記電気光学素子として液晶素子を駆動するための前記第１及び第２データ信号を出力する、液晶ディスプレイ駆動用に使用可能な駆動回路からなり、前記出力工程では、前記複数のデータ線の各々に対して、前記第１及び第２データ信号を所定周期で交互に出力する。
【００３１】
この態様によれば、フィールド反転駆動方式やフレーム反転駆動方式、データ線反転駆動方式、走査線反転駆動方式、ドット反転駆動方式等の各種反転駆動方式に対応する液晶ディスプレイ駆動用の駆動装置を、例えば有機ＥＬディスプレイといった相対的に新しい方式の電気光学装置を駆動するために効率的に利用することが可能となる。
【００３２】
この態様では、前記出力工程では、前記複数のデータ線の配列において相隣接するデータ線間で、各時刻における前記第１及び第２データ信号が相異なるように、前記第１及び第２データ信号を出力してもよい。
【００３３】
このように構成すれば、データ線反転駆動方式に対応する液晶ディスプレイ駆動用の駆動装置を、例えば有機ＥＬディスプレイといった相対的に新しい方式の電気光学装置を駆動するために効率的に利用することが可能となる。
【００３４】
本発明の電子機器は上記課題を解決するために、上述した本発明の第１又は第２の電気光学装置の駆動装置（但し、その各種態様も含む）及び電気光学装置を具備してなる。
【００３５】
本発明の電子機器は、上述した本発明の第１又は第２の電気光学装置の駆動装置を具備してなるので、明るく高品位の画像表示が可能な、テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明の電子機器として、例えば電子ペーパなどの電気泳動装置を実現することも可能である。
【００３６】
本発明のこのような作用及び他の利得は次に説明する実施の形態から明らかにされる。
【００３７】
【発明の実施の形態】
以下、本発明の実施形態を図面に基づき説明する。
【００３８】
（第１実施形態）
本発明の第１実施形態に係る電気光学装置及びその駆動装置を含んでなる電子機器の一例たる有機ＥＬディスプレイ装置について図１から図３を参照して説明する。
【００３９】
先ず、本実施形態の有機ＥＬディスプレイ駆動用の駆動装置に組み込まれる、液晶ディスプレイ駆動用の駆動装置の一例について説明する。
【００４０】
液晶ディスプレイ駆動用の駆動装置は、データの基準電位となる高電位ＶＨ、低電位ＶＬ及びそれらの中間に位置する中間電位ＶＣの入力を備えている。一般的な値として、電源は、Ｖを単位電圧として、高電位ＶＨの入力に６Ｖ、中間電位ＶＣの入力に３Ｖ、及び低電位ＶＬの入力に０Ｖを夫々供給する。通常、液晶ディスプレイにおいて、その駆動時には、液晶素子の一対の電極のうち一方の電極は、中間電位ＶＣに固定される。例えば、対向電極が中間電位ＶＣに固定される。そして、液晶ディスプレイ駆動用の駆動装置は、該一対の電極のうち他方の電極に対して、高電位ＶＨと中間電位ＶＣとの間の電位レベルでデータ信号を供給する第１状態と、低電位ＶＬと中間電位ＶＣとの間の電位レベルでデータ信号を供給する第２状態とを有し、これらの第１及び第２状態間を交互に遷移する。例えば、画素電極に対して第１又は第２状態でデータ信号が供給される。この第１状態と第２状態との間を交互に遷移する駆動方式は、一般に“反転駆動方式”と呼ばれ、例えば、データ線反転駆動方式、走査線反転駆動方式、ドット反転駆動方式等がある。このような反転駆動方式によって、液晶素子にかかるバイアスの向きを第１状態と第２状態とで逆向きに制御することで、液晶素子の焼付きやフリッカーの発生を防ぐことが可能となる。反転駆動方式は、大多数の液晶ディスプレイ駆動用の駆動装置において採用されている。
【００４１】
本実施形態に係る有機ＥＬディスプレイ駆動用の駆動装置は、以上述べた液晶ディスプレイ駆動用の駆動装置が組み込まれた形で構成されている。
【００４２】
次に、本実施形態に係る有機ＥＬディスプレイの画素部における電気的構成について図１を参照して説明する。ここに図１は、有機ＥＬディスプレイの画素部における等価回路の一例を示す回路図である。
【００４３】
図１において、画素部には、データ線１２０、走査線１１０及び有機ＥＬ素子駆動用電源線２０２が配線されている。画素部は、４つの素子で構成されており、即ち、Ｎチャンネルトランジスタからなるスイッチングトランジスタ２０３、データ保持容量２０４、Ｎチャンネルトランジスタからなるドライビングトランジスタ２０５及び有機ＥＬ素子２０６で構成されている。
【００４４】
ここで図１に示した画素部を有する有機ＥＬディスプレイを、上述した液晶ディスプレイ駆動用の駆動装置で、そのまま駆動する場合について検討を加える。
【００４５】
この場合、有機ＥＬ素子２０６のカソード電極が中間電位ＶＣに固定され、ドライビングトランジスタ２０５のゲート電極に対して、第１状態のとき高電位ＶＨと中間電位ＶＣの間の信号レベルでデータ信号が供給され、第２状態のとき低電位ＶＬと中間電位ＶＣの間の信号レベルでデータ信号が供給される。図１に示した画素部において、有機ＥＬ素子２０６を完全に発光させる場合、ドライビングトランジスタ２０５をオン状態に制御する必要がある。一方、有機ＥＬ素子２０６を完全に非発光させる場合、ドライビングトランジスタ２０５をオフ状態に制御する必要がある。即ち、画素部に供給されるデータ信号は、ドライビングトランジスタ２０５をオン状態に制御する信号レベルと、オフ状態に制御する信号レベルの間の信号レベルでなければならない。しかるに、この場合、第１状態において６Ｖ〜３Ｖの信号レベルでデータ信号が供給され、第２状態において０Ｖ〜３Ｖの信号レベルでデータ信号が供給される。有機ＥＬディスプレイにおいて、ドライビングトランジスタ２０５を含む画素内の制御回路は薄膜トランジスタで形成されており、薄膜トランジスタがオン状態となる閾値電圧は一般的に２Ｖ〜３Ｖである。従って、第１状態においてはドライビングトランジスタ２０５をオフ状態に制御できないため、有機ＥＬ素子２０６を完全に非発光させることができないという支障が生じる。又、第２状態においてはドライビングトランジスタ２０５をオン状態に制御できないため、有機ＥＬ素子２０６を完全に発光させることができないという支障が生じる。
【００４６】
このように図１に示した画素部を有する有機ＥＬディスプレイを、上述した液晶ディスプレイ駆動用の駆動装置で、そのまま駆動する場合には、有機ＥＬ素子の発光状態と非発光状態とを適切に実現させることは基本的に困難である
因みに、これに対処すべく前述した特許文献１では、液晶ディスプレイ駆動用の駆動装置から出力されるデータに対して、１つ又は２つ以上の異なった検出レベルを有し、液晶ディスプレイ駆動用の駆動装置から出力されるデータを入力して１つ又は２つ以上の異なった検出レベルに応じた有機ＥＬディスプレイのデータを発生する信号変換手段を新たに設けるようにしている。しかしながら、既に述べたように、このような信号変換手段の開発に係る時間及び費用がかかってしまうという支障等がある。
【００４７】
以上の考察に鑑み、本実施形態の有機ＥＬディスプレイ駆動用の駆動装置では、上述した液晶ディスプレイ駆動用の駆動装置を組み込むと共に、次に述べる「電位制御手段」の一例たる電位制御回路を追加的に設ける。
【００４８】
次に、本実施形態の有機ＥＬディスプレイ駆動用の駆動装置及び有機ＥＬディスプレイを備えてなる電子機器の一例たる有機ＥＬディスプレイ装置について、図２を参照して説明する。ここに図２は、第１実施形態の有機ＥＬディスプレイ装置の図式的なブロック図である。
【００４９】
図２において、有機ＥＬディスプレイ装置は、有機ＥＬディスプレイの一例を構成するパネル部１００と、パネル部１００に接続された走査線駆動回路１４０及び液晶ディスプレイ駆動回路１５０とを備える。液晶ディスプレイ駆動回路１５０には、その入力側に電位制御回路１６０が取り付けられており、電位制御回路１６０及び液晶ディスプレイ駆動回路１５０から、データ線駆動回路の一例が構成されている。
【００５０】
パネル部１００は、同一基板上に、走査線１１０〜１１４及びデータ線１２０〜１２４を備え、更にそれらの交点に対応して画素部１３０〜１３２を備える。各画素部１３０〜１３２の詳細は、図１で既に説明した通りである。
【００５１】
走査線駆動回路１４０としては、例えば安価で比較的入手が容易である液晶ディスプレイの走査線駆動回路を利用することが挙げられる。走査線駆動回路１４０は、パネル部１００に、走査線１１０〜１１４、データ線１２０〜１２４及び画素部１３０〜１３２と共に、同一基板上に形成されていてもよい。或いは、外付けＩＣとして、パネル部１００の基板上に後付けされてもよい。
【００５２】
液晶ディスプレイ駆動回路１５０は、三つの入力端子を有する。入力端子１５１は、液晶ディスプレイ駆動回路１５０に入力すべき高電位ＶＨの電位源に接続された入力端子である。入力端子１５２は、液晶ディスプレイ駆動回路１５０に入力すべき中間電位ＶＣの電位源に接続された入力端子である。入力端子１５３は、液晶ディスプレイ駆動回路１５０に入力すべき低電位ＶＬの電位源に接続された入力端子である。電位制御回路１６０は、本発明に係る「電位制御手段」の一例を構成しており、液晶ディスプレイ駆動回路１５０に入力すべき中間電位ＶＣと低電位ＶＬとを同電位に制御する回路である。電位制御回路１６０としては、例えば、低電位ＶＬ又は中間電位ＶＣの少なくともいずれか一方に電位を入力し、中間電位ＶＣと低電位ＶＬとを短絡させる手段が挙げられる。
【００５３】
次に図３を参照して、電位制御回路１６０により中間電位ＶＣと低電位ＶＬとを同電位に制御することによる作用効果について説明する。ここに、図３は、液晶ディスプレイ駆動回路１５０に入力すべき中間電位ＶＣと低電位ＶＬとを同電位に制御する電位制御回路１６０により、中間電位ＶＣと低電位ＶＬを同電位に設定したときの、液晶ディスプレイ駆動回路１５０のデータ出力端子のうち、任意の隣り合う２端子であるＳ１及びＳ２の出力波形を示す信号波形図である。
【００５４】
液晶ディスプレイ駆動回路１５０に入力すべき高電位ＶＨとしては、例えば図１に示した画素のドライビングトランジスタ２０５が完全にオン状態となる電位として６Ｖを入力する。そして、中間電位ＶＣ及び低電位ＶＬには、例えばドライビングトランジスタ２０５が完全にオフ状態となる電位として０Ｖを入力するものとする。
【００５５】
液晶ディスプレイ駆動回路１５０の反転駆動方式において、液晶ディスプレイ駆動回路１５０が出力するデータ信号は低電位ＶＬ、中間電位ＶＣ及び高電位ＶＨの３値からなり、液晶ディスプレイ駆動回路１５０が第１状態のとき、データ信号は、電位ＶＨ〜ＶＣの信号レベルで出力される。これに対し、液晶ディスプレイ駆動回路１５０が第２状態のとき、データ信号は電位ＶＬ〜ＶＣの信号レベルで出力される。ここで、反転駆動方式の一例として、データ線反転駆動方式がある。尚、データ線反転駆動方式とは、上述した第１状態と第２状態とをデータ線ごと交互に変えていく駆動方式である。本実施形態では特に、このようなデータ線反転駆動方式の液晶ディスプレイ駆動回路１５０を利用することとする。
【００５６】
図３において、横軸は時間を表し、縦軸は液晶ディスプレイ駆動回路１５０の出力であるデータ信号の電位を示している。
【００５７】
図３の第１フレーム▲１▼において、Ｓ１端子は第１状態であるため、電位ＶＨ〜ＶＣのデータ信号が出力される。このとき、中間電位ＶＣが低電位ＶＬとが同電位に制御されているため、出力されるデータ信号としては、高電位ＶＨ〜低電位ＶＬの信号レベルが選択されている各ラインに応じて出力される。これに対して、Ｓ２端子は第２状態であるため、電位ＶＬ〜ＶＣのデータ信号が出力されるが、中間電位ＶＣが低電位ＶＬとが同電位に制御されているため、出力は常に低電位ＶＬとなる。このように、第１状態にあるデータ出力端子には電位ＶＨ〜ＶＬの信号レベルのデータ信号が出力され、第２状態にあるデータ出力端子には電位ＶＬのデータ信号が出力される。
【００５８】
図３の第２フレーム▲２▼では、Ｓ１端子は第２状態であるため、電位ＶＬのデータ信号が出力される。これに対して、Ｓ２端子は第１状態であるため、電位ＶＨ〜ＶＬの信号レベルのデータ信号が出力される。
【００５９】
図３の第３フレーム▲３▼では、Ｓ１端子は再び第１状態に戻るため、電位ＶＨ〜ＶＬの信号レベルでデータ信号が出力される。これに対して、Ｓ２端子は第２状態であるため、データ信号として電位ＶＬが出力される。
【００６０】
以降上述の動作を繰り返す。液晶ディスプレイ駆動回路１５０のデータ信号出力全体では、あるフレームでは全端子の内半数がデータ信号を電位ＶＨ〜ＶＬの信号レベルで出力しており、残りの半数は固定電位である低電位ＶＬを出力する。そして次のフレームでは前のフレームで電位ＶＬを出力していた半数の端子が第１状態となるため、電位ＶＨ〜ＶＬの信号レベルでデータ信号を出力し、前のフレームで電位ＶＨ〜ＶＬの信号レベルでデータ信号を出力していた半数の端子は第２状態となるため固定電位である低電位ＶＬを出力する。
【００６１】
この際、電位ＶＨ〜ＶＬの信号レベルでデータ信号が出力されているデータ線１２０に接続された画素部において、ドライビングトランジスタ２０５は入力されたデータ信号に従ってオン状態からオフ状態までの状態を取る。従って、これに応じて有機ＥＬ素子２０６は発光から非発光までの状態に制御される。一方、固定電位である低電位ＶＬが出力されているデータ線１２０に接続された画素において、ドライビングトランジスタ２０５はオンしないため有機ＥＬ素子２０６は発光しない。
【００６２】
（第２実施形態）
次に本発明の第２実施形態に係る有機ＥＬディスプレイ装置について図４及び図５を参照して説明する。ここに図４は、第２実施形態に係る有機ＥＬディスプレイ装置の画素部の回路図であり、図５は、第２実施形態の有機ＥＬディスプレイ装置の図式的なブロック図である。尚、図４及び図５において、図１及び図２に示した第１実施形態の場合と同様の構成要素には同様の参照符号を付し、それらの説明は適宜省略する。
【００６３】
図４に示すように第２実施形態では、画素部は、ドライビングトランジスタ４０５がＰチャンネルトランジスタである点において図１に示した第１実施形態に係る画素部の場合と異なり、データ線１２０に高電位ＶＨが出力されたときに、有機ＥＬ素子２０６が非発光となる。
【００６４】
従って、画素部が図４に示す構成である第２実施形態の場合、図５に示した電位制御回路２６０は、液晶ディスプレイ駆動回路１５０に入力すべき中間電位ＶＣを高電位ＶＨと同電位に制御する。このように制御し、データ線反転駆動方式を採用した場合、第１状態のときに高電位ＶＨが出力されて有機ＥＬ素子４０６が非発光となり、第２状態のときに電位ＶＨ〜ＶＬの信号レベルでデータ信号が出力される。
【００６５】
以上詳細に説明したように第１又は第２実施形態によれば、有機ＥＬディスプレイの駆動装置として、安価で比較的入手が容易な液晶ディスプレイ駆動回路を利用でき、有機ＥＬディスプレイの開発期間及び費用の削減が可能となる。又、反転駆動方式の液晶ディスプレイ駆動回路を利用することで、容易に有機ＥＬ素子の非発光期間を設けることができる。これにより、有機ＥＬ素子の回復が図られて長寿命化が可能となる。特に反転駆動方式としてデータ線反転駆動方式を採用することにより、有機ＥＬ素子の発光及び非発光をデータ線ごと交互に制御することができて、これによりフリッカーを低減することが可能となる。
【００６６】
尚、本発明の駆動装置によれば、上述した実施形態の如くデータ線反転駆動方式のみならず、走査線反転駆動方式、ドット反転駆動方式等の他の反転駆動方式を採用しても、フリッカーを低減することが可能である。
【００６７】
（電子機器）
次に、上述した実施形態に係る有機ＥＬディスプレイ装置を電子機器に用いた例について図６から図８を参照して説明する。
【００６８】
先ず、上述した有機ＥＬディスプレイ装置を、モバイル型コンピュータの表示部に適用した例について説明する。図６は、この構成を示す斜視図である。図６において、コンピュータ１２００は、キーボード１２０２を備えた本体部１２０４と、表示部として用いられる表示装置１００５とを備えている。
【００６９】
次に、上述した有機ＥＬディスプレイ装置を、携帯電話の表示部に適用した例について説明する。図７は、この構成を示す斜視図である。図７において、携帯電話１２５０は、複数の操作ボタン１２５２のほか、受話口、送話口とともに、上述した電気光学装置を表示装置１００５として備えるものである。
【００７０】
次に、上述した有機ＥＬディスプレイ装置を、ファインダに用いたデジタルスチルカメラについて説明する。図８は、この構成を背面から示す斜視図である。デジタルスチルカメラ１３００におけるケース１３０２の背面には、上述した電気光学装置が表示装置１００５として設けられ、ケース１３０２の前面に設けられたＣＣＤ１３０４による撮像信号に基づいて、表示を行うようになっている。即ち、表示装置１００５は、被写体を表示するファインダとして機能することになる。
【００７１】
なお、電子機器としては、これらの他、有機ＥＬテレビや、ビューファインダ型、モニタ直視型のビデオテープレコーダ、カーナビゲーションシステム、ページャ、電子手帳、電卓、ワードプロセッサ、ワークステーション、テレビ電話、ＰＯＳ端末、タッチパネルを備えた機器等が挙げられる。
【００７２】
本発明は、上述した実施形態に限られるものではなく、請求の範囲及び明細書全体から読み取れる発明の要旨、あるいは思想に反しない範囲で適宜変更可能であり、そのような変更を伴う電気光学装置の駆動回路及び方法、並びに電子機器もまた、本発明の技術的範囲に含まれるものである。
【図面の簡単な説明】
【図１】本発明の第１実施形態に係る有機ＥＬディスプレイの画素部における等価回路の一例を示す回路図である。
【図２】第１実施形態の有機ＥＬディスプレイ装置の図式的なブロック図である。
【図３】第１実施形態に係る液晶ディスプレイ駆動回路の出力波形を示す信号波形図である。
【図４】本発明の第２実施形態に係る有機ＥＬディスプレイの画素部における等価回路の一例を示す回路図である。
【図５】第２実施形態の有機ＥＬディスプレイ装置の図式的なブロック図である。
【図６】実施形態に係る電気光学装置を適用した電子機器の一例たるモバイル型コンピュータを示す斜視図である。
【図７】実施形態に係る電気光学装置を適用した電子機器の他の例たる携帯電話を示す斜視図である。
【図８】実施形態に係る電気光学装置を適用した電子機器の他の例たるデジタルスチルカメラの構成を示す斜視図である。
【符号の説明】
１００…パネル部、１１０〜１１４…走査線、１２０〜１２４…データ線、１３０〜１３２…画素部、１４０…走査線駆動回路、１５０…液晶ディスプレイ駆動回路、１６０…電位制御回路、２０２…電源線、２０３…スイッチングトランジスタ、２０４…データ保持容量、２０５…ドライビングトランジスタ、２０６…有機ＥＬ素子、２６０…電位制御回路
【図１】
2004354764.tif 000003
【図２】
2004354764.tif 000004
【図３】
2004354764.tif 000005
【図４】
2004354764.tif 000006
【図５】
2004354764.tif 000007
【図６】
2004354764.tif 000008
【図７】
2004354764.tif 000009
【図８】
2004354764.tif 000010